(57)【要約】      （修正有）【課題】高い消波性能を有し、波の衝撃力を軽減しつつ、被覆ブロック同士の全体の連結力を増大させて設置安定性を向上させる被覆ブロックを提供する。【解決手段】被覆ブロック１０は、六角形のセンターブロック部１ａと、その左右両側に一体に形成した４つの六角形のサイドブロック部１ｂ，１ｃ，１ｄ，１ｅとから成り、板状の脚部５ｂ等を有する。各ブロック部には六角形の貫通孔２ａ等が開穿され、又、左側のサイドブロック部には平面視凸状の嵌合部３ｂ，３ｃが凸設され、右側のサイドブロック部には前記嵌合部と嵌合可能な被嵌合部３ｄ，３ｅが凹設され、被嵌合部３ｄ，３ｅの右側には、嵌合部を支持し得る受け台４ｄ，４ｅが設けられていることにより、被覆ブロックは安定して設置される。【選択図】図３
2016138396.tif 000002
【特許請求の範囲】
【請求項１】
浅海、河川等の水底に敷設されるハニカム型被覆ブロックであって、
該被覆ブロックは、その中心部を構成する六角形のセンターブロック部と、該センターブロック部の左右両側に互いに前後・左右対称となるよう一体に形成された４つの六角形のサイドブロック部とから成り、
前記センターブロック部及び各サイドブロック部には六角形の貫通孔を夫々開穿し、
前記被覆ブロックの一側縁部に平面視凸状の嵌合部を突設するとともに、前記被覆ブロックの他側縁部には、前記嵌合部が嵌合可能な平面視凹状の被嵌合部を形成し、
該被嵌合部の外側には、前記嵌合部が載置可能な受け台を設けたことを特徴とするハニカム型被覆ブロック。
【請求項２】
前記被覆ブロックの前記嵌合部は平面視略へ字状に突設されているとともに、該被覆ブロックの前記被嵌合部は該嵌合部と対応する平面視略へ字状に凹設されていることを特徴とする請求項１記載のハニカム型被覆ブロック
【請求項３】
前記被覆ブロックの前記嵌合部は、前記被覆ブロックの左右方向外側に向かって上方に傾斜する下面を有し、かつ、前記被覆ブロックの前記受け台は、前記嵌合部の下面と対応して上方に傾斜する上面を有することを特徴とする請求項１又は２記載のハニカム型被覆ブロック。
【請求項４】
前記被覆ブロックの前後両側の下面には、左右方向に延びる板状の脚部が垂設されていることを特徴とする請求項１，２又は３記載のハニカム型被覆ブロック。
【請求項５】
前記被覆ブロックの前後両側には、一対の凹所が互いに対向して形成されていることを特徴とする請求項１，２，３又は４記載のハニカム型被覆ブロック。
【請求項６】
前記被覆ブロックの一側縁部の前記嵌合部は、左右方向一側の２つの各サイドブロック部外側に夫々突設され、かつ、前記被覆ブロックの他側縁部の前記被嵌合部は、左右方向他側の２つの各サイドブロック部外側に形成されていることを特徴とする請求項１，２，３，４又は５記載のハニカム型被覆ブロック。
【請求項７】
浅海、河川等の水底に、請求項１，２，３，４，５又は６記載のハニカム型被覆ブロックを沿岸方向及び岸沖方向に複数敷設する方法であって、
該被覆ブロックの左右方向が岸沖方向と平行になるよう、該被覆ブロック同士を互いに隣接させて敷き並べる工程と、
左右隣接する被覆ブロックのうちの一方に設けた平面視凹状の被嵌合部に、他方の被覆ブロックに突設した平面視凸状の嵌合部を嵌合させて連結する工程と、
前記一方の被覆ブロックの受け台上に、前記他方の被覆ブロックの嵌合部を載置する工程とを備えることを特徴とするハニカム型被覆ブロックの敷設方法。
【請求項８】
前記浅海、河川等の水底に、請求項６記載のハニカム型被覆ブロックを沿岸方向及び岸沖方向に複数敷設する方法であって、
複数の前記被覆ブロックの前後方向が沿岸方向と平行になるよう該被覆ブロックを並べる工程と、
前記沿岸方向に並べられた前記被覆ブロックを１列として、該被覆ブロックを岸沖方向に複数列敷設し、かつ、偶数列の被覆ブロックと奇数列の被覆ブロックとが互いに前後方向にて半ピッチずれた状態で左右隣接するように該被覆ブロックを配列する工程と、
左右隣接する被覆ブロックのうちの一方に設けた２つの被嵌合部に夫々、他方の被覆ブロック２つに夫々突設した嵌合部を嵌合させる工程と、
前記一方の被覆ブロックの受け台上に、前記他方の被覆ブロックの嵌合部を載置する工程とを備えることを特徴とするハニカム型被覆ブロックの敷設方法。
【発明の詳細な説明】
【技術分野】
【０００１】
本発明は被覆ブロック及びその敷設方法に関し、特に海岸、河川等の水底に敷設される捨石マウンドの表面を被覆するハニカム型被覆ブロック及びその敷設方法に関するものである。
【背景技術】
【０００２】
従来、海岸、港湾、河川等に防波堤、突堤、潜堤、離岸堤、護岸、水制などの構造物を構築する場合は、沈下や洗掘を防止する等の理由から、構造物の基礎や中詰めとして水底に捨石を敷き並べて基礎部（以下「捨石マウンド」という。）を形成し、更に、捨石マウンドの表面をコンクリート製の被覆ブロックで覆い、波浪力や流体力により捨石が流動するのを抑えて保護するようにしている（例えば、特許文献１、特許文献２参照）。
【０００３】
また、波や流水の衝撃力のエネルギーを除去すべく、被覆ブロックに開口部（上下方向の貫通孔）を設けて揚圧力低減機能を付加したもの、あるいは設置安定性の観点から被覆ブロック相互間を上下係合させたもの等が知られている（例えば、特許文献３、特許文献４参照）。
【先行技術文献】
【特許文献】
【０００４】
【特許文献１】特開昭６４−８３７１０号公報
【特許文献２】特開平１０−３２５１２８号公報
【特許文献３】特開２００７−１００４７７号公報
【特許文献４】特開２０１２−１３２１５３号公報
【発明の概要】
【発明が解決しようとする課題】
【０００５】
上記特許文献１，２に記載の発明によれば、前記波浪力や流体力すなわち波の衝撃力は、沖側から岸側へ向かう波の水平波力、あるいは被覆ブロックを下面側から持ち上げようとする揚圧力などを有する。そのため、波の衝撃力が被覆ブロックに作用すると、捨石マウンド上を被覆ブロックが浮遊移動し、被覆ブロックの設置状態が不安定になって崩壊することがあった。
【０００６】
また、上記特許文献３に記載の発明の如き、被覆ブロックに複数の開口部を設けたものでは、波の揚圧力が被覆ブロックの下面側から開口部を通ってその上面側に通り抜けることで、揚圧力のエネルギーを低減させ、以って、該被覆ブロックが浮き上がることを抑えることができる。しかし、このものでは、水平方向（平面方向）たとえば岸沖方向または沿岸方向から作用する波の衝撃力に対しては、十分な抵抗力を有せず被覆ブロックの設置状態が安定しないことがあった。
【０００７】
さらに、上記特許文献４に記載の発明の如き、被覆ブロック相互間を単に上下係合させたものでは、上下方向への動きをある程度拘束しうるが、被覆ブロックの自重のみに依存して上下係合させているため、被覆ブロック同士の連結強度が十分ではなく、上下方向又は平面方向からの波の衝撃力に対して、被覆ブロックの設置時の安定性が十分確保され難い。その結果、波の衝撃力が上下方向又は平面方向たとえば岸沖方向から被覆ブロックに直接作用した場合、魏被覆ブロック自体が浮き上がる、或は被覆ブロックが位置ズレ又は傾きを生じる等の問題があった。
【０００８】
そこで、本発明は上記の問題に鑑みなされたもので、捨石の流動を抑え、波や流水による衝撃力（揚圧力）を軽減しつつ、高い消波性能を有し、被覆ブロック同士の連結力を増大させて被覆ブロックの設置安定性を向上させるようにするために解決せられるべき技術的課題が生じてくるのであり、本発明は、該課題を解決することを目的とする。
【課題を解決するための手段】
【０００９】
本発明は上記目的を達成するために提案されたものであり、請求項１記載の発明は、浅海、河川等の水底に敷設されるハニカム型被覆ブロックであって、該被覆ブロックは、その中心部を構成する六角形のセンターブロック部と、該センターブロック部の左右両側に互いに前後・左右対称となるよう一体に形成された４つの六角形のサイドブロック部とから成り、前記センターブロック部及び各サイドブロック部には六角形の貫通孔を夫々開穿し、前記被覆ブロックの一側縁部に平面視凸状の嵌合部を突設するとともに、前記被覆ブロックの他側縁部には、前記嵌合部が嵌合可能な平面視凹状の被嵌合部を形成し、該被嵌合部の外側には、前記嵌合部が載置可能な受け台を設けたことを特徴とするハニカム型被覆ブロックを提供する。
【００１０】
この構成によれば、前記被覆ブロックの左側縁部に平面視凸状の嵌合部を突設し、且つ、該被覆ブロックの右側縁部に被嵌合部を形成したものを例に挙げて説明すると、被覆ブロック同士を左右隣接して敷設する際、右側の被覆ブロックに設けた平面視凸状の嵌合部は、左側の被覆ブロックの被嵌合部に嵌合させて固定する。また、前記嵌合部は、左側の被覆ブロックに形成した受け台上に載置して支持する。したがって、凹凸嵌合作用と載置支持作用との相乗作用により、前記被覆ブロック同士は、上下・前後・左右方向への動きが拘束される。
【００１１】
請求項２記載の発明は、前記被覆ブロックの前記嵌合部は平面視略へ字状に突設されているとともに、該被覆ブロックの被嵌合部は前記嵌合部と対応する平面視略へ字状に凹設されていることを特徴とする請求項１記載のハニカム型被覆ブロックを提供する。
【００１２】
この構成によれば、前記被覆ブロックの嵌合部と被嵌合部の嵌合形状は平面視略へ字状であるので、左右隣接する被覆ブロック同士は、凹凸嵌合の作用力が前後方向と左右方向の２つに分散されて生じ、以って、前後方向及び左右方向への動きがより効果的に拘束される。
【００１３】
請求項３記載の発明は、前記被覆ブロックの前記嵌合部は、前記被覆ブロックの左右方向外側に向かって上方に傾斜する下面を有し、かつ、前記被覆ブロックの前記受け台は、前記嵌合部の下面に対応して上方に傾斜する上面を有することを特徴とする請求項１又は２記載のハニカム型被覆ブロックを提供する。
【００１４】
この構成によれば、前記被覆ブロックの受け台の上面は、前記嵌合部の下面に対応して左右方向外側に向かって上方に傾斜している。そのため、例えば左右隣接する一方の被覆ブロックの受け台上面に、他方の被覆ブロックの嵌合部下面を傾斜状態で載置すると、該被覆ブロックの左右方向への動きが一層確実に拘束される。
【００１５】
請求項４載の発明は、前記被覆ブロックの前後両側の下面には、左右方向に延びる板状の脚部が垂設されていることを特徴とする請求項１，２又は３記載のハニカム型被覆ブロックを提供する。
【００１６】
この構成によれば、前記被覆ブロックの前後両側の下面には板状の脚部が形成されているので、該被覆ブロックの設置時に、必要に応じて前記脚部を捨石マウンドに埋め込んで設置することができる。
【００１７】
請求項５記載の発明は、前記被覆ブロックの前後両側には、一対の凹所が互いに対向して形成されていることを特徴とする請求項１，２，３又は４記載のハニカム型被覆ブロックを提供する。
【００１８】
この構成によれば、前記被覆ブロックの前後両側には、一対の凹所が互いに対向して形成されているので、複数の被覆ブロックを前後隣り合うように設置した場合、該被覆ブロック同士の間には、前後一対の凹所が合わさって空間部（開口部）が形成され、この空間部は上記貫通孔と同様の揚圧力低減性能と消波性能を有する。
【００１９】
請求項６記載の発明は、前記被覆ブロックの一側縁部の前記嵌合部は、左右方向一側の２つの各サイドブロック部外側に夫々突設され、かつ、前記被覆ブロックの他側縁部の前記被嵌合部は、左右方向他側の２つの各サイドブロック部外側に形成されていることを特徴とする請求項１，２，３，４又は５記載のハニカム型被覆ブロックを提供する。
【００２０】
この構成によれば、前記被覆ブロックの一側縁部の嵌合部及び該被覆ブロックの他側縁部の被嵌合部をそれぞれ２つ設けたので、例えば被覆ブロック同士を左右隣接して敷設する際、右側の被覆ブロックの嵌合部２つは、左側の被覆ブロックの被嵌合部２つとそれぞれ嵌合して固定される。つまり、被覆ブロック同士の凹凸嵌合は、同一の側縁部において２箇所で行われ、以って、凹凸嵌合による被覆ブロックの連結強度が著しく増大する。
【００２１】
請求項７記載の発明は、浅海、河川等の水底に、請求項１，２，３，４，５又は６記載のハニカム型被覆ブロックを沿岸方向及び岸沖方向に複数敷設する方法であって、該被覆ブロックの左右方向が岸沖方向と平行になるよう、該被覆ブロック同士を互いに隣接させて敷き並べる工程と、左右隣接する被覆ブロックのうちの一方に設けた平面視凹状の被嵌合部に、他方の被覆ブロックに突設した平面視凸状の嵌合部を嵌合させて連結する工程と、前記一方の被覆ブロックの受け台上に、前記他方の被覆ブロックの嵌合部を載置する工程とを備えることを特徴とするハニカム型被覆ブロックの敷設方法を提供する。
【００２２】
この方法によれば、左右隣接する被覆ブロック同士は、その一方の被覆ブロックに形成した平面視凹状の被嵌合部に、他方の被覆ブロックに設けた嵌合部を嵌合させた状態で岸沖方向に設置する。この場合、一方の被覆ブロックの受け台上には、他方の被覆ブロックの嵌合部を載置させる。したがって、左右隣接する被覆ブロックの前後方向（沿岸方向）への動きが拘束されるのみならず、上下方向及び左右方向（岸沖方向）への動きも確実に拘束される。又、前記被覆ブロックのセンターブロック部及び各サイドブロック部には六角形の貫通孔が開穿されていることにより、該貫通孔に進入した流れが六角形の偶角部に収束し、衝突して打ち消し合って減衰される。
【００２３】
請求項８記載の発明は、前記浅海、河川等の水底に、請求項６記載のハニカム型被覆ブロックを沿岸方向及び岸沖方向に複数敷設する方法であって、複数の被覆ブロックの前後方向が沿岸方向と平行になるよう該被覆ブロックを並べる工程と、沿岸方向に並べられた前記被覆ブロックを１列として、該被覆ブロックを岸沖方向に複数列敷設し、かつ、偶数列の被覆ブロックと奇数列の被覆ブロックとが互いに前後方向にて半ピッチずれた状態で左右隣接するように該被覆ブロックを配列する工程と、左右隣接する被覆ブロックのうちの一方に設けた２つの被嵌合部に夫々、他方の被覆ブロック２つに夫々突設した嵌合部を嵌合させる工程と、前記一方の被覆ブロックの受け台上に、前記他方の被覆ブロックの嵌合部を載置する工程とを備えることを特徴とするハニカム型被覆ブロックの敷設方法を提供する。
【００２４】
この方法によれば、被覆ブロックを岸沖方向に複数列敷設し、かつ、偶数列と奇数列とが互いに前後方向にて半ピッチずれて左右隣接するように該被覆ブロックを配列する。そして、左右隣接する被覆ブロックのうちの一方に設けた２つの被嵌合部に夫々、他方の被覆ブロック２つに突設した嵌合部を嵌合させる。つまり、一方の被覆ブロック１つに対して他方の被覆ブロック２つが左右隣接して、隣接部分において２箇所で凹凸嵌合して連結するので、凹凸嵌合による被覆ブロック同士の連結強度が著しく増大する。
【発明の効果】
【００２５】
請求項１記載の発明は、前記被覆ブロック同士は、凹凸嵌合作用と載置支持作用との相乗作用により、上下・前後・左右方向への動きが効果的に拘束される。したがって、波の衝撃力が上下・前後・左右方向から前記被覆ブロックに作用しても、当該被覆ブロックの浮上、位置ズレ又は傾きを防止して、被覆ブロックの設置時の安定性が著しく向上する。
【００２６】
又、前記センターブロック部及び各サイドブロック部夫々に六角形の貫通孔を開穿したことにより、該貫通孔に進入した流れが六角形の偶角部に収束し、衝突して打ち消し合って減衰される。そのため、大きな波の揚圧力や滑動力が被覆ブロックに作用したとても、当該被覆ブロックの浮き上がりを一層確実に抑止することができる。
【００２７】
請求項２記載の発明は、左右隣接する被覆ブロック同士は、前後方向及び左右方向への動きがより効果的に拘束された状態で凹凸嵌合して連結されるので、請求項１記載の発明の効果に加えて、大きな波の衝撃力が前後方向及び左右方向から被覆ブロックに作用しても、当該被覆ブロックの浮上、位置ズレ又は傾きをより一層確実に防止して、被覆ブロックの設置安定性を更に高めることができる。
【００２８】
請求項３記載の発明は、被覆ブロックの左右方向の動きが一層確実に拘束されるので、請求項１又は２記載の発明の効果に加えて、大きな波の衝撃力が左右方向から被覆ブロックに作用しても、当該被覆ブロックの浮上、位置ズレ又は傾きをより効果的に防止して、被覆ブロックの設置安定性の更なる向上を図ることができる。
【００２９】
請求項４記載の発明は、前記被覆ブロックの設置時に、前記脚部を捨石マウンドに埋め込んで設置できるので、請求項１，２又は３記載の発明の効果に加えて、前記被覆ブロックの不陸（高さ）調整を容易に実施でき、被覆ブロックの設置安定性をより一層向上させることができる。
【００３０】
請求項５記載の発明は、前後隣り合う被覆ブロック同士の間には、前後一対の凹所が合わさって空間部（開口部）が形成されるので、請求項１，２，３又は４記載の発明の効果に加えて、前記空間部により、進入した流れが六角形の偶角部に収束し、衝突して打ち消し合って減衰され、極めて高い消波効果が発揮される。
【００３１】
請求項６記載の発明は、被覆ブロック同士の凹凸嵌合による連結強度が飛躍的に増大するので、請求項１，２，３，４又は５記載の発明の効果に加えて、特に大きな波や流れの作用によって発生する水平方向の滑動力や揚圧力が前後方向から被覆ブロックに作用しても、当該被覆ブロックの浮上、位置ズレ又は傾きを一層効果的に防止して、被覆ブロックの設置安定性が更に高くなる。
【００３２】
請求項７記載の発明は、左右隣接する被覆ブロックは、前後方向（沿岸方向）への動きが拘束されるのみならず、上下方向及び左右方向（岸沖方向）への動きも拘束されるので、大きな波や流れの作用によって発生する水平方向の滑動力や揚圧力が前後方向に加えて上下方向及び左右方向から前記被覆ブロックに作用しても、当該被覆ブロックの浮上、位置ズレ又は傾きをより確実に防止することができる。
【００３３】
請求項８記載の発明は、被覆ブロック同士の凹凸嵌合による連結強度が増大するので、特に大きな波や流れの作用によって発生する水平方向の滑動力や揚圧力が岸沖方向及び沿岸方向から被覆ブロックに作用しても、当該被覆ブロックの浮上、位置ズレ又は傾きを一層確実に防止して、被覆ブロックの設置安定性が更に高くなる。
【図面の簡単な説明】
【００３４】
【図１】本発明の実施例１に係るハニカム型被覆ブロックの敷設状態を示す平面図。
【図２】図１の正面図。
【図３】実施例１に係るハニカム型被覆ブロックの単体を示し、（ａ）は平面図、（ｂ）は正面図、（ｃ）は左側面図、（ｄ）は右側面図、
【図４】実施例１に係るハニカム型被覆ブロックの単体を示す底面解説図。
【図５】図２のＡ部分の詳細図。
【図６】本発明の実施例２に係るハニカム型被覆ブロックの敷設例を示す平面図。
【図７】図６の正面図。
【図８】図６の右側面図。
【図９】実施例２に係るハニカム型被覆ブロックの単体を示し、（ａ）は平面図、（ｂ）は正面図、（ｃ）は左側面図、（ｄ）は右側面図、（ｅ）は背面図。
【図１０】実施例２に係るハニカム型被覆ブロックの単体の底面図。
【図１１】本発明の実施例３に係るハニカム型被覆ブロックの敷設例を示す平面図。
【図１２】図１１の正面図。
【図１３】図１１の右側面図。
【発明を実施するための形態】
【００３５】
本発明は、高い消波機能によって波の衝撃力を軽減し、捨石の移動を抑制しつつ、被覆ブロック同士の全体の連結力を増大させて被覆ブロックの設置安定性を向上させるという目的を達成するために、請求項１記載の発明は、浅海、河川等の水底に敷設されるハニカム型被覆ブロックであって、該被覆ブロックは、その中心部を構成する六角形のセンターブロック部と、該センターブロック部の左右両側に互いに前後・左右対称となるよう一体に形成された４つの六角形のサイドブロック部とから成り、前記センターブロック部及び各サイドブロック部には六角形の貫通孔を夫々開穿し、前記被覆ブロックの一側縁部に平面視凸状の嵌合部を突設するとともに、前記被覆ブロックの他側縁部には、前記嵌合部が嵌合可能な平面視凹状の被嵌合部を形成し、該被嵌合部の外側には、前記嵌合部が載置可能な受け台を設けたことにより実現した。
【００３６】
本発明の形状的な特徴の１つは、平型の被覆ブロックであって、ブロック単体には六角形の貫通した孔が５つ形成されていて、消波目的の異形ブロックとは構造などが異なることである。また、被覆ブロックの前後両側には、例えば台形などの凹所を有しているので、被覆ブロックの前後方向が沿岸方向（岸沖方向と垂直方向）と平行になるように敷設すると、隣り合う被覆ブロック同士の間には、上下方向に開通した六角形の開口部が形成される。
【００３７】
本発明に係る被覆ブロックの消波性能の優位点は、前後左右対称な六角形の貫通した５つの孔を被覆ブロックが有するので、従来構造の被覆ブロックよりも高い消波性能を発揮することができることにある。また、本発明の安定性に関する優位点は、上記六角形の貫通した孔により、波の作用力が効率よく軽減されて、被覆ブロックの設置安定性が高くなることである。さらに、例えば被覆ブロックの左右方向が岸沖方向と平行になるように敷設すると、岸沖方向に隣り合う２つの被覆ブロックの一部分が上下に重なるので、上側の被覆ブロックにより、波力による被覆ブロックの浮き上がりを効果的に防止し得る。
【００３８】
加えて、前記被覆ブロックの上下重なった部分は、岸沖方向において逆勾配、即ち、岸側の部分に対し沖側の部分が上側に重なるので、隣り合う被覆ブロック同士が互いに抜けない構造になっている。さらに、被覆ブロックの重なった部分は、特に相互嵌合して連結する個所が、平面的に所要の嵌合形状、例えば「く」の字型または「Ｖ」の字型を呈しているので、被覆ブロック同士は互いに沿岸方向および岸沖方向への動きも有効に拘束される。
【００３９】
以下、本発明に係るハニカム型の被覆ブロックの実施形態を図面に基づいて説明する。
【実施例１】
【００４０】
本実施例１の形態は、浅海底の捨石マウンド上に前記被覆ブロックを岸沖方向及び沿岸方向に複数敷設したものであり、図１は平面図、図２は正面図である。図示例の複数の被覆ブロック１０は、浅海の水底に構築した捨石マウンドの表面を被覆すべく、平面方向に複数列敷き並べて設置したものである。被覆ブロック１０の単体の構造を図３及び図４に示す。
【００４１】
図３（ａ）において、被覆ブロック１０はコンクリート製であって、図示しない浅海底に構築された捨石マウンドの表面を被覆するものである。前記被覆ブロック１０は、枠組された所定形状の型内に、生コンクリートを流し込んで固化した後に、当該型の組枠を取り外して成形品を取り出して製造されたものである。なお、前記被覆ブロック１０は、消波目的で製造された従来タイプの異型ブロックとは構造等が異なるものである。
【００４２】
前記被覆ブロック１０は、その中央部を構成するセンターブロック部１ａと、該センターブロック部１ａの左側に一体に形成された左側のサイドブロック部１ｂ，１ｃと、前記センターブロック部１ａの右側に一体に形成された右側のサイドブロック部１ｄ，１ｅとから成る。被覆ブロック１０の平面視形状はハニカム型を呈し、その外周縁部には平面視矩形のテーパ面と平面視三角形のテーパ面とが形成されている。
【００４３】
前記六角形のセンターブロック部１ａは、その前後方向両側に互いに平行な二辺（上辺と下辺）を有し、かつ、その左右方向両側に夫々２つの斜辺を有している。該２つの斜辺は前後方向に対し互いに左右逆向きに傾いている。
【００４４】
センターブロック部１ａの左側の斜辺２つには、それぞれ左側のサイドブロック部１ｂ，１ｃが連接され、また、センターブロック部１ａの右側の斜辺２つにはそれぞれ右側のサイドブロック部１ｄ，１ｅが連接されている。これら４つのサイドブロック部１ｂ，１ｃ、１ｄ，１ｅは前後方向及び左右方向において互いに対称な位置関係を有している。
【００４５】
前記センターブロック部１ａおよび４つのサイドブロック部１ｂ，１ｃ，１ｄ，１ｅの夫々の中央部には、底面から天面に貫通する開口部、即ち、平面視六角形の貫通孔２ａ，２ｂ，２ｃ，２ｄ，２ｅが開穿されている。該貫通孔２ａ，２ｂ，２ｃ，２ｄ，２ｅにより、各センターブロック部１ａおよびサイドブロック部１ｂ，１ｃ，１ｄ，１ｅに作用する波や流水の衝撃力のエネルギーが減衰されるようになっている。
【００４６】
図３（ｃ）に示すように、左側の各サイドブロック部１ｂ，１ｃの左側縁部には嵌合部３ｂ，３ｃが凸設されている。嵌合部３ｂ，３ｃは夫々、左側のサイドブロック部１ｂ，１ｃの厚さ方向上部にて左方へ突出し、各嵌合部３ｂ，３ｃの平面視形状は略へ字状を呈している。      
【００４７】
一方、図３（ｄ）に示すように、右側の各サイドブロック部１ｄ，１ｅの右側縁部には被嵌合部３ｄ，３ｅが凹設されている。被嵌合部３ｄ，３ｅは、左側のサイドブロック部１ｄ，１ｅの厚さ方向上部にて左方へ陥入し、被嵌合部３ｄ，３ｅの平面視形状は、嵌合部３ｂ，３ｃの平面視形状に対応する略へ字状を呈している。そのため、被嵌合部３ｄ，３ｅと嵌合部３ｂ，３ｃとは、隣接する被覆ブロック１０同士間にて左右方向より相互に嵌合し得るように形成されている。
【００４８】
さらに、右側の各サイドブロック部１ｄ，１ｅは夫々、その右側縁部に平面視ひし形の受け台４ｄ，４ｅを一体に有し、これら受け台４ｄ，４ｅは互いに前後方向にて相対向して形成されている。該受け台４ｄ，４ｅは、右側のサイドブロック部１ｄ，１ｅの厚さ方向下部にて右方へ延出している。そして、受け台４ｄ，４ｅの上面は、図３（ｂ）に示すように、内側から外側（被覆ブロックの左右方向外側）にいくに伴い上方へ若干傾斜し、その傾斜度は前記嵌合部３ｂ，３ｃ下面側の傾斜度にほぼ一致している。
【００４９】
前記受け台４ｄ，４ｅの上面は、前記嵌合部３ｂ，３ｃの下面を支持し得る寸法・形状を有している。さらに、受け台４ｄ，４ｅ上面の右側端部には縦断面鋭角部βが形成され、縦断面鋭角部βは、前記嵌合部３ｂ，３ｃ下面側の縦断面鋭角部αと嵌合できるように設けられている。
【００５０】
したがって、左右隣接する被覆ブロック１０同士を連結する場合は、図５に例示するごとく、左側の被覆ブロック１０（Ｌ）の受け台４ｄ，４ｅ上に、右側の被覆ブロック１０（Ｒ）の嵌合部３ｂ，３ｃを載置するとともに、左側の被覆ブロック１０（Ｌ）の被嵌合部３ｄ，３ｅに、右側の被覆ブロック１０（Ｒ）の嵌合部３ｂ，３ｃを嵌合させて固定する。また、左側の被覆ブロック１０（Ｌ）の受け台４ｄ，４ｅ側の縦断面鋭角部βに、右側の被覆ブロック１０（Ｒ）の嵌合部３ｂ，３ｃ側の縦断面鋭角部αを嵌合させて固定する。
【００５１】
これによって、左右隣接する被覆ブロック１０同士は、全体として上下方向、前後方向および左右方向への動きが効果的に拘束され、よって、波や流水の衝撃力のエネルギーが上下方向、前後方向又は左右方向から前記被覆ブロック１０に作用したとしても、左右隣接する被覆ブロック１０の一方が他方に対して上下方向、前後方向又は左右方向に位置ズレ又は傾きを起こす虞はない。
【００５２】
さらに、前記被覆ブロック１０の前側下面には、図４中の斜線で示すように、２つの脚部５ｂ，５ｄが一体に垂設され、また、前記被覆ブロック１０の後側下面にも２つの脚部５ｃ，５ｅが一体に垂設されている。これら脚部５ｂ，５ｄ及び脚部５ｃ，５ｅは正面視矩形を呈し、左右方向に長い平板状に形成されている。前側の脚部５ｂ，５ｄと後側の脚部５ｃ，５ｅとは夫々、図５に示すように、前記被覆ブロック１０の前後方向および左右方向にて互いに対峙して配置されている。さらに、図３（ｃ）、（ｄ）に示すように、脚部５ｂ，５ｄと脚部５ｃ，５ｅは側面視で逆台形を呈し、脚部５ｂ，５ｄと脚部５ｃ，５ｅの相対峙する内面は、それぞれ下方へ行くに伴い漸次外面側へ傾斜している。このため、脚部５ｂ，５ｄと脚部５ｃ，５ｅは、下端側の前後幅が根元側の前後幅に比べて狭くなっている。
【００５３】
さらにまた、被覆ブロック１０の前面側には、センターブロック部１ａの前辺縁と左側サイドブロック部１１ｂの右辺縁と右側サイドブロック部１１ｄの左辺縁とにより、平面視台形の凹所７が形成されている。同様に、前記被覆ブロック１０の後面側にも、センターブロック部１ａの後辺縁と左側サイドブロック部１ｃの右辺縁と右側サイドブロック部１１ｅの左辺縁とにより、平面視台形の凹所８が形成されている。これら凹所７、８は互いに前後方向にて対応して配説されている。
【００５４】
凹所７，８の台形部分は、前後左右対称な六角形の一半の形状部分に相当する形状に一致している。そのため、前後両側の凹所７，８の台形部分を突き合わせると、図１に示すように、前後左右対称な六角形の空間部（開口部）９が形成される。また、被覆ブロック１０の４つの隅角部には斜辺縁部が形成されているので、左右隣り合う４つの被覆ブロック１０の間にはひし形の空間部（開口部）が形成される。
【００５５】
次に、上記被覆ブロック１０の敷設方法について説明する。図１及び図２は、沿岸方向Ｃに被覆ブロック１０を３個並べ、かつ、岸沖方向ＬＲ（沿岸方向Ｃに対し直角方向）にも被覆ブロック１０を３個並べたものを例示する。図１及び図２中、矢印Ｌは岸側を示し、また、矢印Ｒは沖側を示し、さらに、矢印Ｃは沿岸方向を示す。
【００５６】
まず、前記被覆ブロック１０を岸沖方向ＬＲに１列に並べて敷設する。この場合、被覆ブロック１０の左右方向、即ち、図３（ａ）中矢印Ｔで示す嵌合方向が、前記岸沖方向ＬＲと平行になるように設置する。つまり、各被覆ブロック１０の脚部５ｂ，５ｄおよび脚部５ｃ，５ｅが夫々岸沖方向ＬＲに１列に並ぶように、複数の被覆ブロック１０を配列して設置する。このとき、左右隣接する被覆ブロック１０同士は、互いに凹凸嵌合させた状態で相互連結する。
【００５７】
具体的には、左側の被覆ブロック１０の受け台４ｄ，４ｅ上に、右側の被覆ブロック１０の嵌合部３ｂ，３ｃ下面を載置する。この場合、左側の被覆ブロック１０の凹状の被嵌合部３ｄ，３ｅに、右側の被覆ブロック１０の凸状の嵌合部３ｂ，３ｃを嵌合させ、かつ、左側の被覆ブロック１０の受け台４ｄ，４ｅ側の前記鋭角部βに、右側の被覆ブロック１０の嵌合部３ｂ，３ｃ側の前記鋭角部αを嵌合させて固定する。
【００５８】
上記と同様の連結方法により、左右隣接する被覆ブロック１０同士を互いに凹凸嵌合させて岸沖方向ＬＲに１列に連結していく。これにより、複数の被覆ブロック１０同士は全体として、上下係合のみならず凹凸嵌合による連結力の強化作用により、上下・左右・前後の３方向への動きが拘束されることとなる。
【００５９】
特に、右側の被覆ブロック１０の嵌合部３ｂ，３ｃは、左側の被覆ブロック１０の受け台４ｄ，４ｅにより支持され、かつ、右側の被覆ブロック１０の嵌合部３ｂ，３ｃ側の前記鋭角部αは、左側の被覆ブロック１０の受け台４ｄ，４ｅ側の前記鋭角部βに嵌合されることにより、前記被覆ブロック１０は全体として、前後方向の動きに加えて左右方向及び上下方向の動きも効果的に拘束される。その結果、前記被覆ブロック１０に上方向の波の揚圧力、あるいは岸沖方向ＬＲの波の衝撃力が作用しても、左右隣接する被覆ブロック１０の何れかが上方向に浮上する、或は岸沖方向ＬＲに位置ズレ又は傾きを起こす虞がない。
【００６０】
本発明は、前記被覆ブロック１０の各センターブロック部１ａおよびサイドブロック部１ｂ，１ｃ，１ｄ，１ｅに六角形の貫通孔２ａ，２ｂ，２ｃ，２ｄ，２ｅが開穿されている。また、被覆ブロック１０の前後両側の凹所７，８が突き合わせられることで、六角形の空間部（開口部）９が形成され、しかも、前後左右隣り合う４つの被覆ブロック１０の間にもひし形の空間部（開口部）が形成される。これにより、前記開口部の総面積が増加して被覆ブロック１０全体の軽量化を図りつつ、従来構造に比し前記被覆ブロック１０の設置時の安定性ないし作業性が向上する。
【００６１】
ここで、被覆ブロック１０を設置した状態で、六角形の貫通孔２ａ，２ｂ，２ｃ，２ｄ，２ｅ内に波や流水が通過する場合、圧力差が発生し、六角形の貫通孔２ａ、２ｂ、２ｃ，２ｄ，２ｅ内に取り込まれる。この流れは貫通孔２ａ，２ｂ，２ｃ，２ｄ，２ｅ内や前記開口部内で分散されて、各孔の中で衝突による摩擦が生じ、波や流水の衝撃力のエネルギーが効率よく減衰される。そのため、前記被覆ブロック１０の設置安定性が一層向上する。
【００６２】
特に、波や流水の流動力が前記被覆ブロック１０の下面側から作用した場合、該被覆ブロック１０に上向きの揚圧力が生じるが、このとき、六角形の貫通孔２ａ，２ｂ，２ｃ，２ｄ，２ｅを設けることにより、揚圧力が低減できる。また、上向きの揚圧力と下向きの圧力が互いに打ち消し合って、前記被覆ブロック１０に対する上下方向の波の流動力のエネルギーが低減される。
【００６３】
図１及び図２に示すように、浅海底の捨石マウンド上に複数の前記被覆ブロック１０を岸沖方向ＬＲに連結して１列をなし、かつ、同様の連結態様にて複数の前記被覆ブロック１０を沿岸方向Ｃにも設置することで、全体として被覆ブロック１０が複数列敷設される。即ち、前記被覆ブロック１０の脚部５ｂ，５ｄ及び脚部５ｃ，５ｅが岸沖方向ＬＲに並ぶように設置して、１列の前記被覆ブロック１０を敷設し、かつ、同様の設置方法により、前記被覆ブロック１０を沿岸方向Ｃにも敷き並べることで、複数列の被覆ブロック１０が敷設される。
【００６４】
斯くして、捨石マウンドの表面を被覆すべく、複数の被覆ブロック１０を岸沖方向ＬＲ及び沿岸方向Ｃに平面的に並べて敷設するので、捨石マウンドを波や流水の衝撃力のエネルギーから保護することができ、もって、捨石マウンドの表面が凹凸状になることを防止できる。
【実施例２】
【００６５】
本実施例２は、実施例１と同様に、浅海底の捨石マウンド上にハニカム型被覆ブロックを岸沖方向及び沿岸方向に複数敷設したものであり、図６は平面図、図７は正面図、図８は右側面図である。
【００６６】
被覆ブロック２０の単体の構造を図９及び図１０に示す。図９は実施例２に係る被覆ブロック２０の単体を示し、（ａ）は平面図、（ｂ）は正面図、（ｃ）は左側面図、（ｄ）は右側面図、（ｅ）は背面図、図１０は被覆ブロックの底面図である。
【００６７】
図９（ａ）において、コンクリート製の被覆ブロック２０は外周縁部にテーパ面を有し、中心部は六角形のセンターブロック部１１ａにより構成されている。センターブロック部１１ａの左側斜辺縁、右側斜辺縁にはそれぞれ左側のサイドブロック部１ｂ，１１ｃ、右側のサイドブロック部１１ｄ，１１ｅが連接されている。４つのサイドブロック部１１ｂ，１１ｃ、１１ｄ，１１ｅは前後方向及び左右方向において互いに対称な位置関係を有している。
【００６８】
前記センターブロック部１１ａおよび４つのサイドブロック部１１ｂ，１１ｃ，１１ｄ，１１ｅの各中央部には、平面視六角形の貫通孔１２ａ，１２ｂ，１２ｃ，１２ｄ，１２ｅが開穿されている。図９（ｃ）に示すように、左側の各サイドブロック部１１ｂ，１１ｃの左側縁部には平面視略へ字状の嵌合部１３ｂ，１３ｃが凸設され、各嵌合部１３ｂ，１３ｃは夫々、前記サイドブロック部１１ｂ，１１ｃの厚さ方向上部にて左方へ突出している。各嵌合部１３ｂ，１３ｃの下面は緩やかな傾斜度を有し、図９（ｃ）に示すように、内側中央部から前後方向Ｓ外側にいくに伴い上方へ若干傾斜している。さらに、図９（ｂ）に示すように、該下面の根元部は外側壁面に対し縦断面鋭角αを有している。
【００６９】
一方、図９（ｄ）に示すように、右側の各サイドブロック部１１ｄ，１１ｅの右側縁部には、嵌合部１３ｂ，１３ｃと対応する平面視略へ字状の被嵌合部１３ｄ，１３ｅが凹設され、各被嵌合部１３ｄ，１３ｅは、図９（ａ）に示すように、前記サイドブロック部１１ｄ，１１ｅの厚さ方向上部にて左方へ陥入している。そのため、被嵌合部１３ｄ，１３ｅに対し嵌合部１３ｂ，１３ｃは、被覆ブロック２０の設置時に、左右隣接する被覆ブロック２０同士の間にて右方より嵌合し得るように形成されている。
【００７０】
さらに、右側の各サイドブロック部１１ｄ，１１ｅはその右側に受け台１４ｄ，１４ｅを有し、該受け台１４ｄ，１４ｅは、図９（ｂ）に示すように、右側サイドブロック部１１ｄ，１１ｅの厚さ方向下部にて右方へ延出しているまた、受け台１４ｄ，１４ｅの上面は、内側から外側（右側）にいくに伴い上方へ若干傾斜し、その傾斜度は前記嵌合部１３ｂ，１３ｃ下面の傾斜度にほぼ一致している。
【００７１】
前記受け台１４ｄ，１４ｅの上面は、前記嵌合部１３ｂ，１３ｃの下面を支持し得る寸法・形状を有し、前記受け台１４ｄ，１４ｅの上面の右側端部に形成された縦断面鋭角部βは、前記嵌合部３ｂ，３ｃ下面側の縦断面鋭角部αと嵌合できるようにこうせいされている。
【００７２】
したがって、図６及び図７に例示する如く、左右隣接する被覆ブロック２０（Ｌ）、２０（Ｒ）同士を連結する場合は、左側の被覆ブロック２０（Ｌ）の受け台１４ｄ，１４ｅ上に、右側の被覆ブロック２０（Ｒ）の凸状の嵌合部１３ｂ，１３ｃを載置するとともに、左側の被覆ブロック２０（Ｌ）の凹状の被嵌合部１３ｄ，１３ｅに、右側の被覆ブロック２０（Ｒ）の凸状の嵌合部１３ｂ，１３ｃを嵌合させて固定する。また、左側の被覆ブロック２０（Ｌ）の受け台１４ｄ，１４ｅの縦断面鋭角部βに、右側の被覆ブロック２０（Ｒ）の嵌合部３１ｂ，１３ｃの縦断面鋭角部αを嵌合させて固定する。
【００７３】
これによって、左右隣接する被覆ブロック２０（Ｌ）、２０（Ｒ）同士は、全体として上下方向、前後方向および左右方向への動きがより効果的に拘束され、その結果、波の衝撃力のエネルギーが上下方向、前後方向又は左右方向から前記被覆ブロック２０（Ｌ）、２０（Ｒ）に作用しても、左右隣接する被覆ブロック２０（Ｌ）、２０（Ｒ）の一方が他方に対し、上下方向、前後方向又は左右方向に浮上、位置ズレ又は傾きを起こす虞はない。
【００７４】
さらに、図９（ｂ）、（ｄ）に示すように、各被覆ブロック２０の前側、後側の下面には正面視矩形の脚部１５ｂ，１５ｄ、脚部１５ｃ，１５ｅが一体に垂設され、前記脚部１５ｂ，１５ｄ及び脚部１５ｃ，１５ｅは平板状に形成されている。さらに、図９（ｃ）、（ｄ）に示すように、脚部１５ｂ，１５ｄ及び脚部１５ｃ，１５ｅは側面視逆台形を呈し、その下端側の前後幅は根元側の前後幅に比べて狭くなっている。
【００７５】
さらにまた、被覆ブロック２０の前面側、後面側には夫々、平面視台形の凹所１７、１８が形成されているため、該凹所１７，１８を前後突き合わせると、図６に示すように、六角形の空間部（開口部）１９が形成される。また、左右隣り合う４つの被覆ブロック２０の間にはひし形の空間部（開口部）が形成される。
【００７６】
次に、上記被覆ブロック２０の敷設方法について説明するが、本発明は下記の敷設方法の工程順序に限定されない。図６乃至図８は、沿岸方向Ｃ及び岸沖方向ＬＲに夫々被覆ブロック２０を３個ずつ並べたものを例示する。まず、前記被覆ブロック２０を岸沖方向ＬＲ及び沿岸方向Ｃに複数に並べる。この場合、被覆ブロック２０の左右方向（嵌合方向）Ｔが岸沖方向ＬＲと平行になるように設置する。
【００７７】
その際、左右隣接する被覆ブロック２０同士は互いに凹凸嵌合させて連結する。具体的には、左側の被覆ブロック２０の受け台１４ｄ，１４ｅ上に、右側の被覆ブロック２０の嵌合部１３ｂ，１３ｃ下面を載置する。また、左側の被覆ブロック２０の被嵌合部１３ｄ，１３ｅに、右側の被覆ブロック２０の嵌合部１３ｂ，１３ｃを嵌合させ、かつ、左側の被覆ブロック２０の受け台１４ｄ，１４ｅの前記鋭角部βに、右側の被覆ブロック２０の嵌合部１３ｂ，１３ｃの前記鋭角部αを嵌合させて固定する。
【００７８】
上記の連結方法により、左右隣接する被覆ブロック２０同士を岸沖方向ＬＲに嵌合連結させていく。このようにして嵌合連結された複数の被覆ブロック２０同士は、全体の連結力を強化して上下・左右・前後の３方向への動きをより確実に拘束することができる。その結果、波の衝撃力が上下・左右・前後の３方向の何れから前記被覆ブロック２０に作用しても、当該被覆ブロック２０が浮上、位置ズレ又は傾きを起こす虞がない。
【００７９】
本実施例２に係る被覆ブロック２０は、六角形の貫通孔（開口部）１２ａ，１２ｂ，１２ｃ，１２ｄ，１２ｅを有し、かつ、被覆ブロック２０の設置後には六角形の空間部（開口部）１９及びひし形の空間部（開口部）が所定箇所に形成される。これにより、被覆ブロック２０の単位面積当たりの開口部の総面積が実質的に増加するので、被覆ブロック２０全体の軽量化を図りつつ消波性能が飛躍的に高まり、前記被覆ブロック２０の設置時の安定性ないし作業性が著しく向上する。
【実施例３】
【００８０】
次に、本発明に係る他の実施例３について図１１乃至図１３に基づき説明する。なお、実施例２と同一の構成要素については、それと同一の符号を付して詳細な説明を省略するものとする。本実施例３の特徴は、前記実施例２に係る被覆ブロックを用いて、岸沖方向ＬＲに沿って複数列の被覆ブロックを敷設し、かつ、偶数列の被覆ブロックと奇数列の被覆ブロックとを半ピッチの距離だけ、即ち、被覆ブロックの前後幅寸法の半分だけずらして配列したことにある。これにより、奇数列の被覆ブロック１つに対して、偶数列の被覆ブロック２つを凹凸嵌合させて連結することができる。
【００８１】
図１１は本実施例３の被覆ブロック２０の配列態様を示す平面図、図１２はその正面図、図１３はその右側面図である。以下、被覆ブロック２０の敷設方法について説明するが、本発明方法は下記の工程順序に限定されない。図１１，１２，１３では、沿岸方向Ｃ及び岸沖方向ＬＲに夫々被覆ブロック２０を３個ずつ並べたものを例示する。
【００８２】
まず、複数の被覆ブロック２０を沿岸方向Ｃに１列に並べて敷設する。この場合は、前記被覆ブロック２０の嵌合方向（図９（ａ）の矢印Ｔ方向参照）が岸沖方向ＬＲと平行になるように配置する。前記同様に、沖方向Ｒに向かって２列目、３列目の被覆ブロック２０を互いに左右隣接するように配置していく。その際、２列目の被覆ブロック２０は、１列目及び３列目の被覆ブロック２０に対して、半ピッチ（サイドブロック部１１ｂ又は１１ｃの前後幅の長さ）の分だけ、つまり被覆ブロック２０の前後幅の半分の寸法だけ沿岸方向Ｃに位置をずらして配列する。
【００８３】
この配列方法では、左右隣接する３つの被覆ブロック２０を互いに凹凸嵌合させて連結する。例えば、図１１中に例示するように、１列目の被覆ブロック２０（Ａ）の受け台１４ｄ上に、２列目であって半ピッチだけその前方に位置する被覆ブロック２０（Ｂ）の嵌合部１３ｃを載置する。また、１列目の被覆ブロック２０の受け台１４ｅ上には、２列目であって半ピッチだけその後方に位置する被覆ブロック２０（Ｃ）の嵌合部１３ｂを載置する。
【００８４】
その際、１列目の被覆ブロック２０（Ａ）の被嵌合部１３ｄに、２列目の被覆ブロック２０（Ｂ）の嵌合部１３ｃを嵌合させるとともに、１列目の被覆ブロック２０（Ａ）の被嵌合部１３ｅには、２列目の被覆ブロック２０（Ｃ）の嵌合部１３ｂを嵌合させる。
【００８５】
また、１列目の被覆ブロック２０（Ａ）の受け台１４ｄ，１４ｅ側の上記鋭角部β，βに夫々、２列目の被覆ブロック２０（Ｂ）、２０（Ｃ）の嵌合部１３ｃ，１３ｂ側の上記鋭角部α，αを嵌合させて固定する。なお、前後隣り合う被覆ブロック２０の間には、上下左右対称な六角形の空間部（開口部）１９が形成され、また、例えば１列目の被覆ブロック２０（Ａ）と２列目の被覆ブロック２０（Ｂ）、２０（Ｃ）の間などにもひし形の空間部（開口部）が形成される。
【００８６】
上記の要領により、半ピッチずれて配列された奇数列と偶数列の間において、左右隣接する被覆ブロック２０同士を凹凸嵌合させて岸沖方向ＬＲに連結していく。これにより、左右隣接する被覆ブロック２０同士は、上下、左右、前後の３方向への動きが確実に拘束されるので、被覆ブロック２０同士の全体の連結強度が著しく増大する。その結果、上下・左右・前後の３方向の何れから波の衝撃力が前記被覆ブロック２０に作用しても、当該被覆ブロック２０が浮上、位置ズレ又は傾きを起こす虞がない。
【００８７】
本実施例３は、上記実施例１，２と同様に、被覆ブロック２０に六角形の貫通孔１２ａ，１２ｂ、１２ｃ，１２ｄ，１２ｅを開穿し、かつ、所定の被覆ブロック２０同士の間に六角形の空間部（開口部）１９、並びにひし形の空間部（開口部）が形成されることにより、前記被覆ブロック２０全体の軽量化を図りつつ、前記被覆ブロック２０の設置時の作業性、安定性が向上する。加えて、貫通孔１２ａ，１２ｂ、１２ｃ，１２ｄ，１２ｅなどにより、揚圧力を効率的に低減できるので、当該被覆ブロック２０の浮き上がりをより効果的に抑制することができる。
【００８８】
叙上の如く本発明によると、前記被覆ブロックの左側縁部に平面視凸状の嵌合部を突設し、且つ、前記被覆ブロックの右側縁部に被嵌合部を形成した場合、被覆ブロック同士を左右隣接して敷設するときに、右側の被覆ブロックに設けた平面視凸状の嵌合部は、左側の被覆ブロックの被嵌合部に嵌合させて固定する。また、右側の被覆ブロックに設けた嵌合部は、左側の被覆ブロックに形成した受け台上に載置して支持する。したがって、前記凹凸嵌合作用と載置支持作用との相乗作用により、被覆ブロック同士は、上下・前後・左右方向への動きが有効にされる。
【００８９】
斯くして、波の衝撃力が上下・前後・左右方向から前記被覆ブロックに作用しても、当該被覆ブロックの浮上、位置ズレ又は傾きを防止して、被覆ブロックの設置時の安定性が著しく向上する。又、被覆ブロックのセンターブロック部及び各サイドブロック部夫々に六角形の貫通孔を開穿したことにより、該貫通孔に進入した波の衝撃力は、貫通孔内で互いに打ち消されて速やかに減衰する。その結果、たとえ大きな波の揚圧力が被覆ブロックに作用しても、揚圧力を効率的に低減できるので、当該被覆ブロックの浮き上がりを一層確実に抑止することができる。
【００９０】
また、本発明は、前記被覆ブロックの一側縁部に嵌合部を２つ設け、かつ、該被覆ブロックの他側縁部に被嵌合部を２つ設けたものでは、例えば被覆ブロック同士を左右隣接して敷設する際、右側の被覆ブロックの２つの嵌合部は、左側の被覆ブロックの２つの被嵌合部とそれぞれ嵌合して固定される。つまり、側縁部で重合する被覆ブロック同士の凹凸嵌合は、１つの重合部分において２箇所で行われる。したがって、被覆ブロック同士の凹凸嵌合による連結強度が倍増するので、大きな波の衝撃力が前後方向から被覆ブロックに作用しても、当該被覆ブロックの浮上、位置ズレ又は傾きを一層効果的に防止することができる。
【００９１】
さらに、前記被覆ブロックの受け台の上面は、前記嵌合部の下面に対応して左右方向外側に向かって上方に傾斜している。そのため、例えば左右隣接する一方の被覆ブロックの受け台の上面に、他方の被覆ブロックの嵌合部の下面を傾斜状態で載置すると、該被覆ブロックの左右方向への動きが一層確実に拘束される。依って、仮令大きな波の衝撃力が左右方向から被覆ブロックに作用しても、当該被覆ブロックの浮上、位置ズレ又は傾きをより効果的に防止することができる。
【００９２】
さらにまた、前記被覆ブロックの前後両側の下面には板状の脚部が形成されているので、該被覆ブロックの設置時に、必要に応じて前記脚部を捨石マウンドに埋め込んで設置することができる。したがって、前記被覆ブロックの不陸（高さ）調整を容易に実施でき、被覆ブロックの設置安定性をより一層向上させることができる。
【００９３】
また、前記被覆ブロックの前後両側には、一対の凹所が互いに対向して形成されているので、複数の被覆ブロックを前後隣り合うように設置した場合、該被覆ブロック同士の間には、前後一対の凹所に応じた空間部（開口部）が形成され、この空間部は上記貫通孔と同様の揚圧力低減効果と消波性能を有する。その結果、前記空間部内に進入した波の衝撃力は互いに打ち消され、極めて高い消波効果が発揮される。
【００９４】
さらに、本発明の敷設方法によれば、左右隣接する被覆ブロック同士は、その一方の被覆ブロックに形成した平面視凹状の被嵌合部に、他方の被覆ブロックに設けた嵌合部を嵌合させた状態で岸沖方向に設置する。この場合、一方の被覆ブロックの受け台には、他方の被覆ブロックの嵌合部下面を載置させる。したがって、左右隣接する被覆ブロックの前後方向（沿岸方向）への動きが拘束されるのみならず、上下方向及び左右方向（岸沖方向）への動きも拘束される。そのため、波や流水の衝撃力が前後方向に加えて上下方向及び左右方向から前記被覆ブロックに作用しても、当該被覆ブロックの浮上、位置ズレ又は傾きを防止することができる。
【００９５】
さらに、本発明は、本発明の精神を逸脱しない限り種々の改変を為すことができ、そして、本発明が該改変されたものに及ぶことは当然である。
【産業上の利用可能性】
【００９６】
本発明は港湾、海岸、河川等で捨石により構築された捨石マウンドの表面を被覆するハニカム型被覆ブロックに限らず、例えば堤防の法面等を平面的に被覆する場合にも応用することができる。
【符号の説明】
【００９７】
１ａ  センターブロック部
１ｂ，１ｃ  左側のサイドブロック部
１ｄ，１ｅ  右側のサイドブロック部  
２ａ  貫通孔  
２ｂ，２ｃ，２ｄ，２ｅ  貫通孔  
３ｂ，３ｃ  嵌合部
３ｄ，３ｅ  被嵌合部
４ｄ，４ｅ  受け台
５ｂ，５ｄ  脚部  
５ｃ，５ｅ  脚部
７，８  凹所
９  空間部（開口部）
１０  ハニカム型被覆ブロック  
【図１】
2016138396.tif 000003
【図２】
2016138396.tif 000004
【図３】
2016138396.tif 000005
【図４】
2016138396.tif 000006
【図５】
2016138396.tif 000007
【図６】
2016138396.tif 000008
【図７】
2016138396.tif 000009
【図８】
2016138396.tif 000010
【図９】
2016138396.tif 000011
【図１０】
2016138396.tif 000012
【図１１】
2016138396.tif 000013
【図１２】
2016138396.tif 000014
【図１３】
2016138396.tif 000015
【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
浅海、河川等の水底に敷設されるハニカム型被覆ブロックであって、
該被覆ブロックは、その中心部を構成する六角形のセンターブロック部と、該センターブロック部の左右両側に互いに前後・左右対称となるよう一体に形成された４つの六角形のサイドブロック部とから成るハニカム型被覆ブロックにおいて、
前記センターブロック部及び各サイドブロック部には六角形の貫通孔を夫々開穿し、
前記被覆ブロックの一側縁部に側面から視て凸状の嵌合部を突設するとともに、前記被覆ブロックの他側縁部に前記嵌合部が水平方向への移動を規制された状態で嵌合可能な側面から視て凹状の被嵌合部を形成し、
該被嵌合部の外側には、前記嵌合部が載置可能な受け台を設けたことを特徴とするハニカム型被覆ブロック。
【請求項２】
前記被覆ブロックの前記嵌合部は平面視略へ字状に突設されているとともに、該被覆ブロックの前記被嵌合部は該嵌合部と対応する平面視略へ字状に凹設されていることを特徴とする請求項１記載のハニカム型被覆ブロック
【請求項３】
前記被覆ブロックの前記嵌合部は、前記被覆ブロックの左右方向外側に向かって上方に傾斜する下面を有し、かつ、前記被覆ブロックの前記受け台は、前記嵌合部の下面と対応して上方に傾斜する上面を有することを特徴とする請求項１又は２記載のハニカム型被覆ブロック。
【請求項４】
前記被覆ブロックの前後両側の下面には、左右方向に延びる板状の脚部が垂設されていることを特徴とする請求項１，２又は３記載のハニカム型被覆ブロック。
【請求項５】
前記被覆ブロックの前後両側には、一対の凹所が互いに対向して形成されていることを特徴とする請求項１，２，３又は４記載のハニカム型被覆ブロック。
【請求項６】
前記被覆ブロックの一側縁部の前記嵌合部は、左右方向一側の２つの各サイドブロック部外側に夫々突設され、かつ、前記被覆ブロックの他側縁部の前記被嵌合部は、左右方向他側の２つの各サイドブロック部外側に形成されていることを特徴とする請求項１，２，３，４又は５記載のハニカム型被覆ブロック。
【請求項７】
浅海、河川等の水底に、請求項１，２，３，４，５又は６記載のハニカム型被覆ブロックを沿岸方向及び岸沖方向に複数敷設する方法であって、
該被覆ブロックの左右方向が岸沖方向と平行になるよう、該被覆ブロック同士を互いに隣接させて敷き並べる工程と、
左右隣接する被覆ブロックのうちの一方に設けた側面から視て凹状の被嵌合部に、他方の被覆ブロックに突設した側面から視て凸状の嵌合部を水平方向への移動を規制された状態で嵌合させて連結する工程と、
前記一方の被覆ブロックの受け台上に、前記他方の被覆ブロックの嵌合部を載置する工程とを備えることを特徴とするハニカム型被覆ブロックの敷設方法。
【請求項８】
前記浅海、河川等の水底に、請求項６記載のハニカム型被覆ブロックを沿岸方向及び岸沖方向に複数敷設する方法であって、
複数の前記被覆ブロックの前後方向が沿岸方向と平行になるよう該被覆ブロックを並べる工程と、
前記沿岸方向に並べられた前記被覆ブロックを１列として、該被覆ブロックを岸沖方向に複数列敷設し、かつ、偶数列の被覆ブロックと奇数列の被覆ブロックとが互いに前後方向にて半ピッチずれた状態で左右隣接するように該被覆ブロックを配列する工程と、
左右隣接する被覆ブロックのうちの一方に設けた２つの被嵌合部に夫々、他方の被覆ブロック２つに夫々突設した嵌合部を嵌合させる工程と、
前記一方の被覆ブロックの受け台上に、前記他方の被覆ブロックの嵌合部を載置する工程とを備えることを特徴とするハニカム型被覆ブロックの敷設方法。
【手続補正２】
【補正対象書類名】明細書
【補正対象項目名】０００９
【補正方法】変更
【補正の内容】
【０００９】
本発明は上記目的を達成するために提案されたものであり、請求項１記載の発明は、浅海、河川等の水底に敷設されるハニカム型被覆ブロックであって、該被覆ブロックは、その中心部を構成する六角形のセンターブロック部と、該センターブロック部の左右両側に互いに前後・左右対称となるよう一体に形成された４つの六角形のサイドブロック部とから成り、前記センターブロック部及び各サイドブロック部には六角形の貫通孔を夫々開穿し、前記被覆ブロックの一側縁部に側面から視て凸状の嵌合部を突設するとともに、前記被覆ブロックの他側縁部に前記嵌合部が水平方向への移動を規制された状態で嵌合可能な側面から視て凹状の被嵌合部を形成し、該被嵌合部の外側には、前記嵌合部が載置可能な受け台を設けたことを特徴とするハニカム型被覆ブロックを提供する。
【手続補正３】
【補正対象書類名】明細書
【補正対象項目名】００１０
【補正方法】変更
【補正の内容】
【００１０】
この構成によれば、前記被覆ブロックの左側縁部に側面から視て凸状の嵌合部を突設し、且つ、該被覆ブロックの右側縁部に被嵌合部を形成したものを例に挙げて説明すると、被覆ブロック同士を左右隣接して敷設する際、右側の被覆ブロックに設けた側面から視て凸状の嵌合部は、左側の被覆ブロックの被嵌合部に水平方向への移動を規制された状態で嵌合させて固定する。また、前記嵌合部は、左側の被覆ブロックに形成した受け台上に載置して支持する。したがって、凹凸嵌合作用と載置支持作用との相乗作用により、前記被覆ブロック同士は、上下・前後・左右方向への動きが拘束される。
【手続補正４】
【補正対象書類名】明細書
【補正対象項目名】００２１
【補正方法】変更
【補正の内容】
【００２１】
請求項７記載の発明は、浅海、河川等の水底に、請求項１，２，３，４，５又は６記載のハニカム型被覆ブロックを沿岸方向及び岸沖方向に複数敷設する方法であって、該被覆ブロックの左右方向が岸沖方向と平行になるよう、該被覆ブロック同士を互いに隣接させて敷き並べる工程と、左右隣接する被覆ブロックのうちの一方に設けた側面から視て凹状の被嵌合部に、他方の被覆ブロックに突設した側面から視て凸状の嵌合部を水平方向への移動を規制された状態で嵌合させて連結する工程と、前記一方の被覆ブロックの受け台上に、前記他方の被覆ブロックの嵌合部を載置する工程とを備えることを特徴とするハニカム型被覆ブロックの敷設方法を提供する。
【手続補正５】
【補正対象書類名】明細書
【補正対象項目名】００２２
【補正方法】変更
【補正の内容】
【００２２】
この方法によれば、左右隣接する被覆ブロック同士は、その一方の被覆ブロックに形成した側面から視て凹状の被嵌合部に、他方の被覆ブロックに設けた嵌合部を嵌合させた状態で岸沖方向に設置する。この場合、一方の被覆ブロックの受け台上には、他方の被覆ブロックの嵌合部を載置させる。したがって、左右隣接する被覆ブロックの前後方向（沿岸方向）への動きが拘束されるのみならず、上下方向及び左右方向（岸沖方向）への動きも確実に拘束される。又、前記被覆ブロックのセンターブロック部及び各サイドブロック部には六角形の貫通孔が開穿されていることにより、該貫通孔に進入した流れが六角形の偶角部に収束し、衝突して打ち消し合って減衰される。
【手続補正６】
【補正対象書類名】明細書
【補正対象項目名】００３５
【補正方法】変更
【補正の内容】
【００３５】
本発明は、高い消波機能によって波の衝撃力を軽減し、捨石の移動を抑制しつつ、被覆ブロック同士の全体の連結力を増大させて被覆ブロックの設置安定性を向上させるという目的を達成するために、請求項１記載の発明は、浅海、河川等の水底に敷設されるハニカム型被覆ブロックであって、該被覆ブロックは、その中心部を構成する六角形のセンターブロック部と、該センターブロック部の左右両側に互いに前後・左右対称となるよう一体に形成された４つの六角形のサイドブロック部とから成り、前記センターブロック部及び各サイドブロック部には六角形の貫通孔を夫々開穿し、前記被覆ブロックの一側縁部に側面から視て凸状の嵌合部を突設するとともに、前記被覆ブロックの他側縁部に前記嵌合部が水平方向への移動を規制された状態で嵌合可能な側面から視て凹状の被嵌合部を形成し、該被嵌合部の外側には、前記嵌合部が載置可能な受け台を設けたことにより実現した。
【手続補正７】
【補正対象書類名】明細書
【補正対象項目名】００８８
【補正方法】変更
【補正の内容】
【００８８】
叙上の如く本発明によると、前記被覆ブロックの左側縁部に側面から視て凸状の嵌合部を突設し、且つ、前記被覆ブロックの右側縁部に被嵌合部を形成した場合、被覆ブロック同士を左右隣接して敷設するときに、右側の被覆ブロックに設けた側面から視て凸状の嵌合部は、左側の被覆ブロックの被嵌合部に嵌合させて固定する。また、右側の被覆ブロックに設けた嵌合部は、左側の被覆ブロックに形成した受け台上に載置して支持する。したがって、前記凹凸嵌合作用と載置支持作用との相乗作用により、被覆ブロック同士は、上下・前後・左右方向への動きが有効にされる。
【手続補正８】
【補正対象書類名】明細書
【補正対象項目名】００９４
【補正方法】変更
【補正の内容】
【００９４】
さらに、本発明の敷設方法によれば、左右隣接する被覆ブロック同士は、その一方の被覆ブロックに形成した側面から視て凹状の被嵌合部に、他方の被覆ブロックに設けた嵌合部を嵌合させた状態で岸沖方向に設置する。この場合、一方の被覆ブロックの受け台には、他方の被覆ブロックの嵌合部下面を載置させる。したがって、左右隣接する被覆ブロックの前後方向（沿岸方向）への動きが拘束されるのみならず、上下方向及び左右方向（岸沖方向）への動きも拘束される。そのため、波や流水の衝撃力が前後方向に加えて上下方向及び左右方向から前記被覆ブロックに作用しても、当該被覆ブロックの浮上、位置ズレ又は傾きを防止することができる。